Podtech/llm-jp-corpus-v4-ja_patent huggingface dataset:
(57)【要約】      （修正有）【課題】指先で揉消すことなくタバコの火を消し、灰が表面に見えず、又においも軽減することが出来る灰皿を提供する。【解決手段】有底箱形本体１、上部消化筒スライド板３、上部開口着脱する上部スライド枠２から成るスライド灰皿であり、消化筒にタバコを挿入し、消火筒で消されたタバコはスライドすることにより本体１に落されることを特徴とする。【選択図】図１
0003145004.tif 000002
【実用新案登録請求の範囲】
【請求項１】
本考案は指先で揉消すことなくタバコの火を消しタバコの灰が表面に見えないことが出来る灰皿を提供される
火消し筒で消されたタバコは筒に挿入したままスライドする
スライドされた筒の中のタバコは開口より灰皿の中に落す灰皿用具
【考案の詳細な説明】
【技術分野】
【０００１】本考案は家庭及び業務用灰皿にスライド式を設けた灰皿に関するものである。
【背景技術】
【０００２】喫煙等において吸い殻及び灰が散乱したり、臭いがしたり、火が消えなくて、くすぶったり、見た目が汚ないのでこの灰皿を考案した。
【考案の開示】
【考案が解決しようとする課題】
【０００３】灰皿使用にあたって後始末及び使い勝手が悪かった。
従って、灰皿の機能と消炎機能を一体化する事により前述の欠点を解決しようとするものである。
【課題を解決するための手段】
【０００４】本考案は灰皿本体にスライド板を設け喫煙後に消炎と吸い殻の処理をスライド板が移動することによって、灰皿本体に吸い殻を落すことにより間題を解決している
【考案の効果】
【０００５】上述のように、スライド式を設けた事によりシンプルなデザイ及び機能がすぐれており、一連の喫煙に役立つ。製品である。
【考案の実施するための最良の形態】
【０００６】灰皿の本体箱スライド枠火消しスライド筒で成りたっている。
【図面の簡単な説明】
【０００７】有底箱形本体（１）上部消火筒スライド板（３）上部開口着脱する上部スライド枠（２）消化筒にタバコを挿入（３）消化筒で消されたタバコは本体（１）に落される消火灰皿用具
【図１】灰皿本体
【図２】スライド枠
【図３】消火筒スライド板
【図１】
0003145004.tif 000003
【図２】
0003145004.tif 000004
【手続補正書】
【提出日】平成20年6月12日(2008.6.12)
【手続補正１】
【補正対象書類名】実用新案登録請求の範囲
【補正対象項目名】全文
【補正方法】変更
【補正の内容】
【実用新案登録請求の範囲】
【請求項１】
上面開口有底箱形本体と正方形の開口穴を設けた、
スライド枠の長方形の板に、あけた丸穴に円筒形に消火筒を固定した、
スライド板とからなり本体上面にスライド枠が、はめこまれ、スライド板をスライド枠に前後スライド可能に取り付けて、スライド枠の開口穴をスライド板で開閉自在にした。
スライド灰皿
(57)【要約】      （修正有）【課題】調理の途中で包丁を研ぐ必要を感じたときでも容易に研ぐことのできる砥石を提供する。【解決手段】砥石を左手の手の平に乗せ置いて、右手で包丁の柄の部分を持ち包丁の刃先を砥石の表面に当てたまま、右手を前後に動かすことにより研ぐことのできる砥石とした。左手で保持するのに必要なホルダーを砥石の下面にとり付け、ホルダーには左手指防護用の突出翼を設け、先端部に吊り下げ可能な紐穴を設けた。【選択図】図２
0003145005.tif 000002
【実用新案登録請求の範囲】
【請求項１】
左手の手の平に乗せ置いて使用する砥石であるため厚さ１０ｍｍ未満の砥石の下面にホルダーを接着剤にてとり付ける。
ホルダーは砥石との接着面の延長線上に砥石の縦幅に対し左右に突出した左手指防護翼をもつものであり先端部に穴を設けたものである。
【請求項２】
砥石の表面の前後両端部に板状の硬質ゴム製チップを接着する。
【考案の詳細な説明】
【考案の開示】
【考案が解決しようとする課題】
【０００１】砥石で包丁を研ぐときは、砥石を調理台の上に置き右手で包丁の柄の部分を、左手で薄い板の部分を軽く持って刃先が砥石の表面と約１５°の角度になるようにして押し付け前後に包丁を動かすことによって行うが、台の上に砥石をセットする必要から置いてあった俎を取り除いたり、いざ研ぎ始めたら砥石の台座が前後に動いてしまうため、布巾を濡らして台座の下に敷く等の余分な手間がかかる。
【課題を解決するための手段】
【０００２】自然に立った状態の姿勢で左手に砥石を持ち右手で包丁の柄の部分を持って、砥石の表面に刃先を当てたまま右手を前後に動かすことにより包丁を研ぐ。
砥石を左手で保持するため砥石の下面にホルダーを接着剤で取り付ける。
ホルダーは、左手指の安全性を確保のため、砥石との接着面の延長線上に突出した防護翼を持つものであり先端部に穴を設け紐を通して吊り下げ可能とする。
砥石の表面の前後両端部分には、包丁研磨時脱落防止のため板状硬質ゴム製のチップを接着する。
【考案の効果】
【０００３】調理の途中であっても包丁の切れ味が悪いと感じたら手軽に研ぐことができ、使用後の片付けも容易である。
【図面の簡単な説明】
【図１】本考案の平面図
【図２】本考案の側面図（短辺方向）
【符号の説明】
１．      砥石本体
２．      ホルダー
３．      板状硬質ゴムチップ
イ．      左手指防護翼
ロ．      吊り下げ紐用穴
Ａ−Ａ′  側面特定
【図１】
0003145005.tif 000003
【図２】
0003145005.tif 000004
【手続補正書】
【提出日】平成20年6月13日(2008.6.13)
【手続補正１】
【補正対象書類名】実用新案登録請求の範囲
【補正対象項目名】全文
【補正方法】変更
【補正の内容】
【実用新案登録請求の範囲】
【請求項１】
厚さ１０ｍｍ未満の砥石の下面に砥石の縦幅に対し任意の長さで左右に突出した左手指防護翼をもつホルダーを接着剤にて取り付けたことを特徴とする左手の手の平に乗せ置いて包丁を研ぐ砥石。
【請求項２】
砥石の表面の前後両端部に板状の硬質ゴム製チップを接着したことを特徴とする請求項１記載の砥石。
(57)【要約】      （修正有）【課題】ドライポンプから出たプロセス排気を、規定の濃度(N2で希釈)にする事により、除害装置で効率の良い排気ガス処理を行うことのできるガス希釈制御ユニットを提供する。【解決手段】排気ラインのチャンバー毎にN2希釈ラインを接続し規定濃度まで希釈を行う。また配管をヒーターにより保温し、閉塞を回避する。配管の継手部には、ボックス状のカバーで覆い、工場排気にチューブ配管にて繋ぎ込み常にバキュームする事により、万が一継手部からプロセス排気が漏れた場合も工場排気ラインへ流れるようにし、排気ラインはガス検知器によりガス漏れ監視を行う。これらを安全施策ユニットのタッチパネルにより、一括管理を行う。【選択図】図1
0003145006.tif 000002
【実用新案登録請求の範囲】
【請求項１】
CVD装置で、特定のガスを使用した際の排気ラインの希釈。
希釈は間欠運転とし、その運転には圧力スイッチを用いた。
緊急時には、バイパスラインの自動バルブが開き強制的に大流量のN2ガスを流す。
また同じく排気ラインの閉塞を防止する為のヒーティングの制御、さらにはガス検
知器を盛り込んだ、トータル的な制御ユニット。
【考案の詳細な説明】
【技術分野】
【０００１】
本考案はCVD装置のプロセス排気ラインの希釈及びヒーティングに関するものである。
【背景技術】
【０００２】
ドライポンプから出たプロセス排気を、そのままの状態で除害装置に流すと規定濃度以上のガスは、除害処理が出来ない場合がある。
また排気ガスによる生成物により、排気ラインが閉塞される事もある。
【考案の開示】
【考案が解決しようとする課題】
【０００３】
ドライポンプから出たプロセス排気をN2で希釈することで、規定の濃度にする事により、除害装置で効率の良い排気ガス処理を行う。
規定濃度まで処理されていない排気ガスが漏れた場合、人的被害を与える。
また生成物により排気ラインが閉塞してしまうと、生産プロセスがストップし、
コスト面にも影響を及ぼす。
【課題を解決するための手段】
【０００４】
本考案は、排気ラインの各チャンバー毎にN2希釈ラインを接続し規定濃度まで希釈
を行う。また配管をヒーターにより保温し、閉塞を回避する。配管の継手部は、SUS製のBox状のカバーで覆い、カバーに接続されたチューブ配管を通してカバー内部を
バキュームし、工場排気に流される。万が一継手部からプロセス排気が漏れた場合は工場排気ラインへ流れるようにし、排気ラインはガス検知器によりガス漏れ監視を行う。これらを安全施策ユニットのタッチパネルにより、一括管理を行う。
【考案の効果】
【０００５】
上述の様に、本考案は希釈・ヒーター・ガス漏れを一括管理（タッチパネル上）を、
行うことにより、危険なガスを安全に除害装置へ排気する事ができる。
【考案の実施するための最良の形態】
【０００６】
CVD装置内の各チャンバーのガスＢｏｘ内で特定のガスオープンの指示があった場合その動作と連動して、希釈用N2ガスをプロセス排気ラインへ流す。さらには、常に閉塞を防止する為、プロセス排気ラインをヒーターにて保温する。
【実施例】
【０００７】
以下、添付図面に従って一実施例を説明する。
CVD装置内の各チャンバーのガスＢｏｘ内で特定のガスオープンの指示があった場合ガスを流す為にガスBox内の自動弁を「開」にします。その時ガスBox内の自動弁を動作する為のエアーを継手で分岐し、圧力スイッチ１に取り込む。圧力スイッチからガスオープン信号を、安全施策ユニット２の電装部で受けて処理し、同じく安全施策ユニット２内に、設けているN2のガスライン部の自動弁３を「開」にし、規定流量のN2をプロセス排気ラインへ、流すようにする。（この制御は、各チャンバー毎に行う。）
また、何らかの原因により規定の流量のN2が流れなかった場合は、重故障信号として、
CVD装置に信号を出す様にする。
【０００８】
除害装置内で異常があった場合は、緊急希釈信号が安全施策ユニット2に送られユニット内のN2ガスラインの自動弁4を「開」にし、工場から供給されるN2ガスを
圧力・流量の制御なく、排気ラインへ流しこむ事ができる。
【０００９】
プロセス排気ラインの継手部をSUS製Box状の物で覆い(局所排気Box5)、 工場排気6にチューブ配管にて繋ぎ込み常にバキュームする事により、万が一継手部からプロセス排気が漏れた場合も工場排気ラインへ流れるようにする。工場排気ラインは安全施策ユニット2に組込まれているガス検知器によりガス漏れ監視を行い、異常あった場合は、緊急希釈信号が、安全施策ユニット2に送られユニット内のN2ガスラインの自動弁4を「開」にし、工場から供給されるN2を圧力・流量の制御なく、排気ラインへ流しこむ事ができる。
【００１０】
ジャケットヒーター7をプロセス排気ラインに巻き保温する事により、排気ライン内部の生成物による閉塞を防止する。保温温度は、あらかじめ設定を行った上限温度及び下限温度の制御を熱伝対で行い安全施策ユニット２のタッチパネルで、常に温度のモニタリングが出来る。温度異常が出た場合は、アラームにて異常を知らせて上限の異常の場合は、安全施策ユニット2内にあるブレーカーもトリップする様に制御する。
【図面の簡単な説明】
【００１１】
【図１】安全施策ユニットの全体構成図
【符号の説明】
【００１２】
・  圧力スイッチ
・  安全施策ユニット
・  自動弁（通常ライン）                                                                    
・  自動弁（緊急ライン）
・  局所排気Box
・  工場排気ライン
・  ジャケットヒーター
【図１】
0003145006.tif 000003
【手続補正書】
【提出日】平成20年7月4日(2008.7.4)
【手続補正１】
【補正対象書類名】実用新案登録請求の範囲
【補正対象項目名】全文
【補正方法】変更
【補正の内容】
【実用新案登録請求の範囲】
【請求項１】
CVD装置で使用する半導体製造用の毒性及び可燃性ガスを窒素(N2)ガスで希釈する設備で、希釈方法は、CVD装置がガスを使用するときの自動弁の駆動圧力を圧力スイッチが感知して本設備のON-OFFを行い自動運転を行なう設備で、併せてCVD装置で製造ガスを使用した後、冷却によりガスが固化し、排気配管の閉塞を防止するために、配管包み込む加温ヒーターの設備、排気配管にガス検知器で設定したガス濃度より高濃度のガスが流れた場合の対応として、緊急用に設備した緊急ライン（バイパスライン）の自動弁が開き大流量の窒素ガスが流れ希釈するような安全設備が備えられたガス希釈制御ユニットです。
(57)【要約】      （修正有）【課題】確実に起床することのできる目覚まし時計を提供する。【解決手段】ベル音を止める信号を発する機能が付いた本体部分１と目覚まし時計のベル部分２が別にあり、無線通信機能を使い本体部分１で停止操作をすることによりベルを停止させる信号を送り、ベル部分２を止める目覚まし時計である。無線通信機能を使うことにより、壁など障害物があっても使用できるので、別々の部屋に置いて使用することもできる。【選択図】図１
0003145009.tif 000002
【実用新案登録請求の範囲】
【請求項１】
本考案はベル音を止める信号を発する機能が付いた本体部分１と目覚まし時計のベル部分２が別にあり、無線通信機能を使い本体部分１で停止操作をすることによりベルを停止させる信号を送り、ベル部分２を止める目覚まし時計を考案する。
【考案の詳細な説明】
【技術分野】
【０００１】  本考案は、確実に起床するための目覚まし時計に関するものである。
【背景技術】
【０００２】  従来からある目覚まし時計は、本体から出る音で目が覚め本体に有するボタン等を押し、音が止まるのが一般的であった。
【考案の開示】
【考案が解決しようとする課題】
【０００３】  目覚まし時計は、有効に利用する為耳元に置く必要がある。しかし、完全に目覚める前に止めてしまうことがある。従来それを防ぐ対策品は停止部分を別に設け操作部には開閉扉を設けるなど操作部を複雑な構造にする必要があり、欠点があった。また、本体とスピーカー部分が別にありコードで繋がれている物はあったがコードで繋がれている為、使用範囲に限界があった。
【課題を解決するための手段】
【０００４】  本考案は、目覚まし時計のベル部分を本体とは別に設けシステムの構造全体を簡単にした。
【考案を実施するための最良の形態】
【０００５】  前記目覚まし時計のベル部分を耳元に置き、停止部がある本体を離れた場所において、設定時刻になり、ベル部分２が起動して鳴り、起床して本体部分１で停止操作をすることにより、無線通信機能を使用して、停止信号をベル部分２に送り、ベル部分２の音止める。無線通信機能を使うことにより、壁など障害物があっても使用できるので、別々の部屋に置き使用できる。ベル自体を手で抑えて音を止める事が出来ないようにカバーを付けるとより効果的である。
【図面の簡単な説明】
【０００６】
【図１】  本考案の斜視図である。
【符号の説明】
【０００７】  １  目覚まし時計本体
２  ベル部分
【図１】
0003145009.tif 000003
【手続補正書】
【提出日】平成20年6月17日(2008.6.17)
【手続補正１】
【補正対象書類名】実用新案登録請求の範囲
【補正対象項目名】全文
【補正方法】変更
【補正の内容】
【実用新案登録請求の範囲】
【請求項１】
ベル音を止める信号を発する機能が付いた本体部分１と目覚まし時計のベル部分２が別にあり、無線通信機能を使い本体部分１で停止操作をすることによりベルを停止させる信号を送り、ベル部分２を止める目覚まし時計
(57)【要約】      （修正有）【課題】洗濯物などの干し物が盗難にあったり落下するのを防止するハンガーを提供する。【解決手段】ハンガー全体を吊り下げるチェーン１の一端に、盗難等を防止するための錠２を連結させ、前記チェーンの他端を、すべり止めになるゴム管３の中を通し、更に洗濯物を掛ける為の施錠用金具付きパイプ５の一端に取り付ける。ゴム管３をチェーン１の中央付近の位置に装着し、ゴム管３上にあおり止めの止金４を取り付け、洗濯物の盗難、落下を防止する。【選択図】図１
0003145010.tif 000002
【実用新案登録請求の範囲】
【請求項１】
チェ−ン▲１▼に、錠▲２▼と、ゴム管▲３▼と、止金▲４▼と、施錠用金具付きパイプ▲５▼を、取り付けたハンガ−。
【請求項２】
施錠用金具付きパイプ▲５▼の施錠用金具は、スプリング▲６▼の中にチェ−ン▲７▼を通して、施錠用金具付きパイプ▲５▼に取り付けたハンガ−。
【考案の詳細な説明】
【考案の詳細な説明】
【技術分野】
【０００１】  この考案は、下着等を物干しハンガ−に吊して干した場合、干し物の盗難を防止し、強風による干し物の飛散、ハンガ−の落下防止に関するものである。
【背景技術】
【０００２】  従来の物干しハンガ−は、ハンガ−に付いている洗濯バサミで干し物を挟み、ハンガ−を物干し竿や物干しロープ等に、吊して干すものであつた。
【考案が解決しょうとする課題】
【０００３】  洗濯物等の干し物を、従来の物干しハンガ−を使用して干した場合、誰でも容易に干し物を、ハンガ−から取り外したり、ハンガ−ごと物干し竿等から外して、窃取が可能であった。また  強風の場合、干し物が飛散したり、ハンガ−が、物干し竿や物干しロープ等から、外れて落下してしまう事があつた。
【課題を解決するための手段】
【０００４】  チェ−ン▲１▼に、錠▲２▼と、ゴム管▲３▼と、止金▲４▼と、施錠用金具付きパイプ▲５▼を取り付けて、一体にしたものである。
本考案は、以上の構成よりなる盗難、落下防止用チェ−ン式ハンガ−である。
【考案を実施するための最良の形態】
【０００５】  以下、本考案の実施の形態を説明する。
（ａ）チェ−ン▲１▼の一端に、錠▲２▼を接着し、同チェ−ンをスベリ止め用のゴム管▲３▼の中を通し、同ゴム管をチェ−ン▲１▼の中央付近に装着し、このゴム管▲３▼上に、あおり止め用の止金▲４▼を取り付け、チェ−ン▲１▼の末端を、施錠用金具付きパイプ▲５▼の右端に接着させる。
（ｂ）施錠用金具付きパイプ▲５▼には、チェ−ン▲１▼を接着した部分とは反対側の左端の部分に、錠▲２▼の掛け金を掛けて施錠状態にする為の、施錠用金具を装着する。
（ｃ）施錠用金具付きパイプ▲５▼の施錠用金具は、チェ−ン▲７▼に張りを持たせ、錠▲２▼との施錠を容易にするために、スプリング▲６▼の中に、チェ−ン▲７▼を通し施錠用金具として、施錠用金具付きパイプ▲５▼に装着する。
本考案は、以上の構成よりなる。
本考案物の使用は、チェ−ン▲１▼の中央付近を物干し竿や物干しロープ等に数回巻き付け、あおり止め用の止金▲４▼を、同チェ−ンに引掛ける。施錠用金具付きパイプ▲５▼に、干し物を通し、錠▲２▼を、チェ−ン▲７▼に引掛けて施錠する。
【考案の効果】
【０００６】  本考案を使用することで、干し物をハンガ−から取り外すことは困難であり盗難を防止でき、また  干し物をハンガ−ごと窃取することも困難で、強風の際、干し物が飛散し、且つ  ハンガ−ごと落下することもない。
【図面の簡単な説明】
【図１】  本考案の使用状態図
【図２】  本考案の左側面図
【図３】  本考案の右側面図
【図４】  本考案の要部拡大平面図
【図５】  本考案の要部拡大断面図
【図６】  本考案の要部拡大断面図
【符号の説明】
▲１▼チェ−ン、▲２▼錠、▲３▼ゴム管、▲４▼止金、▲５▼施錠用金具付きパイプ、▲６▼スプリング、▲７▼チェ−ン
【図１】
0003145010.tif 000003
【図２】
0003145010.tif 000004
【図３】
0003145010.tif 000005
【図４】
0003145010.tif 000006
【図５】
0003145010.tif 000007
【図６】
0003145010.tif 000008
【手続補正書】
【提出日】平成20年6月13日(2008.6.13)
【手続補正１】
【補正対象書類名】実用新案登録請求の範囲
【補正対象項目名】全文
【補正方法】変更
【補正の内容】
【実用新案登録請求の範囲】
【請求項１】
ハンガ−全体を吊り下げるチェ−ン▲１▼の一端に、盗難等を防止する為の錠▲２▼を連結させ、同チェ−ン▲１▼の他端を、スベリ止めになるゴム管管▲３▼の中を通し、更に、洗濯物を掛ける為の施錠用金具付きパイプ▲５▼の一端に取り付ける。ゴム管▲３▼をチェ−ン▲１▼の中央付近の位置に装着し、ゴム管▲３▼上に、あおり止めの止金▲４▼を取り付け、洗濯物を盗難、落下を防止したハンガ−。
【請求項２】
施錠用金具付きパイプ▲５▼の施錠用金具は、スプリング▲６▼の中にチェ−ン▲７▼を通して、施錠用金具付きパイプ▲５▼に取り付けた請求項１記載のハンガ−。
(57)【要約】      （修正有）【課題】ファンからの冷却気流を収束して半導体などのデバイスの冷却効果を向上する放熱装置を提供する。【解決手段】ファン、放熱器及び冷却気流収束カバーから構成し、該ファンを放熱器の上方に重ねて設置する。冷却気流収束カバーは冷却空気流の導入口及び出口を具有し、該導入口は出口より大きい。また、放熱器と接するように、該カバーの内面縁に複数の固定部を設置し、放熱器との間に気流の流通する間隙を設ける。冷却気流収束カバーにより、ファンの冷却気流を放熱器の周辺に集中して放熱効果を向上する。【選択図】図２
0003145068.tif 000002
【実用新案登録請求の範囲】
【請求項１】
ファン、放熱器及び冷却気流収束カバーから構成され、
該ファンを放熱器の上方に配置し、
該冷却気流収束カバーは、冷却空気流の導入口、中段部及び出口からなる導通構造とし、該中段部の内側縁に少なくとも一つのサポート部を設けて放熱器に間隙を設けて固定することを特徴とする冷却空気量を収束する半導体デバイスなどの放熱装置。
【請求項２】
前記冷却気流収束カバーを漏斗の形状としたことを特徴とする請求項1記載の冷却空気量を収束する半導体デバイスなどの放熱装置。
【請求項３】
前記風の導入口の口径は、出口の口径より大きくしたことを特徴とする請求項1記載の冷却空気量を収束する半導体デバイスなどの放熱装置。
【請求項４】
前記冷却気流収束カバーの冷却空気流の出口に、内側に傾斜縮小する導引口を設けたことを特徴とする請求項1記載の冷却空気量を収束する半導体デバイスなどの放熱装置。
【考案の詳細な説明】
【技術分野】
【０００１】
本考案は、半導体デバイスなどの強制空冷装置において、冷却空気流を放熱器に向けて収束させて効果的に放熱を行なう放熱構造に関し、特にコンピューターのＣＰＵの放熱あるいは同様の構造に応用する。
【背景技術】
【０００２】
現在コンピューターのＣＰＵの冷却に適用している放熱方法は、放熱装置をＣＰＵの上に設置し、ＣＰＵが作動する際に発生する熱を拡散していた。放熱装置の上方にファンを設置し、空気対流によって熱交換を強化することで、ＣＰＵの温度を下げる目的に達していた。
【０００３】
従来技術のＣＰＵは、放熱フィンプラス放熱ファンの方法を用いているが、その効率は最大限発揮してはいなかった。放熱ファンは上から下、或は片側から反対側に気流を送る方法である。図1に示すように、放熱器Ｂは重ねてCPUチップの上方に設置し、放熱ファンＡを放熱器Ｂの上に重ねて設置している。この配置による場合、放熱ファンＡのモーターを中央に設置するために放熱ファンＡの中央に無風エリアが形成される。該放熱ファンＡから強制的に放熱器Ｂに気流を送るため、気流は直ちに放熱器Ｂから離れるが、該過程で多くの気流が素早く放熱器Ｂから熱を持ち去って拡散していないため、全体的な放熱効果が十分ではなく、理想的ではなかったため、改善する必要があった。
【特許文献１】特開２００５−１９９０３号公報
【特許文献２】特開２００６−２６１２１５号公報
【考案の開示】
【考案が解決しようとする課題】
【０００４】
前記公知構造の欠点を解決するため、本考案は気流を集中し、効果的に熱を放熱する放熱構造を提供することを主な課題とする。
【課題を解決するための手段】
【０００５】
前記課題を解決するために、本考案はファン、放熱器及び冷却気流収束カバーから構成する風力を集める放熱構造を提供する。該ファンは放熱器の上方に重ねて設置し、前述の冷却気流収束カバーは気流の導入口と出口を具有し、該気流の導入口は出口より大きい。また、該カバーの内面周囲に複数の固定部を設け、該放熱器と接する。よって、冷却気流収束カバーの設置により、ファンで発生する気流は大幅に放熱器に集中するため、ベストな放熱効果が得られる。
【考案の効果】
【０００６】
本考案は、気流の出口を導入口より狭めた漏斗形状の冷却気流収束カバーを設けることによって、効果的にファンで発生する気流を放熱器に集中することができるため、放熱効果を強化できる風力を集める放熱構造である。
【考案を実施するための最良の形態】
【０００７】
図２〜３に示すのは、本考案の風力を集める放熱構造であり、ファン10、放熱器20及び冷却気流収束カバー30で組成する。該冷却気流収束カバー30は風の導入口31、中段部32及び風の出口33を具有する。該風の導入口31の口径は風の出口３３の口径より大きく、全体的に漏斗状を形成している。また、該冷却気流収束カバー30中段部32内部縁に少なくとも一つのサポート部分34を設けて放熱器20と接し、冷却気流収束カバー30を放熱器20に固定すると同時に、放熱器20との間に空隙35を保つため、流出する冷却気流が冷却気流収束カバー30内に収束した後、空隙35を通じて円滑に放熱器20及び発熱源40に導流され、ベストな放熱効果に達する。
【０００８】
図3及び図4に示すように、該放熱器20は冷却気流収束カバー30の中に設置し、放熱器20は冷却気流収束カバー30の複数のサポート部34と接する。該放熱器20の頂面にファン10を固定し、該放熱器20を発熱源40(本考案ではＣＰＵである)の上に設置し、該冷却気流収束カバー30の底部はマザーボードと少し空隙を隔てて配置され、完全には発熱源40を覆って閉塞しない。
【０００９】
ファン10が冷却空気流を放熱器に送ると、該冷却気流は直に放熱器にぶつかって周囲に拡散するが、冷却気流収束カバー30で拡散した冷却気流を改めて収束させて、放熱器及び発熱源に導引することで、ベストな放熱効果に達する。
【００１０】
本考案の冷却気流収束カバー30は空気流の出口33のところに内側に斜めに縮小する導引口(図に未掲載)を設置することで、集めた冷却気流を発熱源40に導引し、更に効果的な放熱効果に達する。
【００１１】
以上の実施例による本考案の詳細な説明は本考案の構造や特徴を制限するものではない。本技術に熟知する者が、本考案の技術範囲内にて行う変更や調整を行っても、本考案の重要な意義は失われず、本考案の範囲に含まれる。
【図面の簡単な説明】
【００１２】
【図１】従来技術の組立略図である。
【図２】本考案最良実施例の立体外観図である。
【図３】本考案実施例の使用状態分解図である。
【図４】図3の組立断面図である。
【符号の説明】
【００１３】
Ａ.放熱ファン
Ｂ.放熱器
Ｃ.ＣＰＵ
10ファン
20放熱器
21相対固定部
30冷却気流収束カバー
31固定部
32通り道
40  コンピューターＣＰＵ
【図１】
0003145068.tif 000003
【図２】
0003145068.tif 000004
【図３】
0003145068.tif 000005
【図４】
0003145068.tif 000006
(57)【要約】      （修正有）【課題】掃除や出入りをする際に突起物にぶつかることのない構造とした酸素カプセルを提供する。【解決手段】酸素カプセル１において、突起物となる補強用サイドビーム３，４，５，６に対してこれを覆うサイドビームカバー７，８を設けたことを特徴とするサイドビームカバー付き酸素カプセル２である。サイドビームカバーの素材を変えることによって、床材や壁材と融合させることもできる。【選択図】図１
0003145379.tif 000002
【実用新案登録請求の範囲】
【請求項１】
（イ）補強用サイドビーム（３，４，５，６）にサイドビームカバー（７，８）を取り付けた酸素カプセル。
以上のごとく構成された酸素カプセル。
【考案の詳細な説明】
【技術分野】
【０００１】本考案は、酸素カプセル（１）の補強用サイドビーム（３，４，５，６）を覆うカバー（７，８）を取り付けた酸素カプセル（２）に関するものである。
【背景技術】
【０００２】従来、補強用のサイドビーム付き酸素カプセル（１）があった。
【考案の開示】
【考案が解決しようとする課題】
【０００３】（イ）サイドビーム（３，４，５，６）は突起物で掃除の時、酸素カプセル（１）の出入りの際にぶつかったりしてしまった。
本考案は、これらの欠点を除くためになされたものである。
【課題を解決するための手段】
【０００４】（イ）サイドビーム（３，４）（５，６）にサイドビームカバー（７）（８）を取り付ける。
（ロ）サイドビーム（６）に照明を取り付けサイドビームカバー（８）の下側の一部分に穴を開け足元を照らす。
（ハ）サイドビームカバー（７），（８）の素材（グラスファイバー、カーボン、金属、樹脂，木材、竹）を酸素カプセル（２）の設置場所によって選択できるようにする。
【考案の効果】
【０００５】（イ）本考案の酸素カプセル（２）補強用サイドビームカバー（７）、（８）は掃除や出入りの際の引っ掛かりを防ぐ。
（ロ）照明で酸素カプセル（２）の出入りの際に足元の確認が出来る。
（ハ）サイドビームカバー（７）、（８）の素材を変えることによって、床材、壁材と融合させることができる。
【考案を実施するための最良の形態】
【０００６】以下、本考案の実施例について説明する。
（イ）酸素カプセル（１）補強用サイドビーム（３，４）、（５，６）にカバー（７），（８）を取り付ける。
（ロ）サイドビーム（６）に照明を取り付ける。
（ハ）サイドビームカバー（８）の下側に照明用の穴を開ける。
【図面の簡単な説明】
【０００７】
【図１】本考案の斜視図、である。
【符号の説明】
【０００８】１  酸素カプセル
２  サイドビームカバー付き酸素カプセル
３  サイドビーム
４  サイドビーム
５  サイドビーム
６  サイドビーム
７  サイドビームカバー
８  サイドビームカバー
【図１】
0003145379.tif 000003
0003145379.tif 000004
(57)【要約】      （修正有）【課題】糊版を必要とせず、低コストで商品収納凹部を有するシートカバーシートのフランジ部への部分接着剤を転写する部分接着剤紙を提供する。【解決手段】剥離紙強と剥離紙弱を設け、その間の全面に感圧接着剤を塗布し、ラベル打ち抜き機にて外縁をハーフカット、内縁を打ち抜くことを特徴とする部分接着剤紙。これにより、これまで商品収納凹部を有するシートカバーのフランジ部の形状に合わせて作成していた感圧接着剤の版を必要としない為、大幅なコストダウンとなる。【選択図】図１
0003145378.tif 000002
【実用新案登録請求の範囲】
【請求項１】
剥離紙強と剥離紙弱との間に感圧接着剤を塗布してなる接着剤紙を設けてなり、一定の寸法で切り落とし部とハーフカット部を設けてなる事を特徴とする部分接着剤紙。
【請求項２】
ロール状であることを特徴とする請求項１記載の部分接着剤紙。
【請求項３】
短尺状であることを特徴とする請求項１記載の部分接着剤紙。
【請求項４】
塗布される感圧接着剤の厚みが２０μ〜１００μである事を特徴とする請求項１記載の部分接着剤紙。
【請求項５】
剥離紙弱を擬似接着性のあるシート又はフィルムに貼着して後に剥離紙強を破棄してなる事を特徴とする請求項１記載の部分接着剤紙。
【考案の詳細な説明】
【技術分野】
【０００１】  本考案は商品収納凹部を有するシートカバーのフランジ部への部分接着剤の貼着方法に関する。
【背景技術】
【０００２】  従来、商品収納凹部を有するシートカバーに商品を収納し、台紙へ固定する方法としては、台紙にあらかじめ感熱接着剤を塗布しておき、シートカバーのフランジ部を熱圧着する方法が広くしられており、又シートカバーのフランジ部を折り曲げて、固定する方法も一般的である。更に特許第３４６０８２７号公報にあるようにシートカバーのフランジ部に感圧接着剤を転着し、台紙に貼り付けて固定する方法もある。
【特許文献１】特許第３４６０８２７号公報
【考案の開示】
【考案が解決しようとする課題】
【０００３】  特許第３４６０８２７号公報にあるように、商品収納凹部を有するシートカバーのフランジ部へ部分接着剤を転着する場合、フランジの形状に合わせその都度糊版を作成しなければならない為、非常にコストがかかり、又小ロット対応が困難であった。
本考案は、糊版を必要とせず、低コストでフランジ部への部分接着剤を転写する方法を提供するものである。
【課題を解決するための手段】
【０００５】  上記目的を達成する為、剥離紙強と剥離紙弱を設け、その間の全面に感圧接着剤を塗布し、ラベル打ち抜き機にて外縁をハーフカット、内縁を打ち抜くことで本考案を完成するに至った。
すなわち本考案は、紙製離型紙である剥離紙強と、合成樹脂フィルム又はシートである剥離紙弱を設け、その間に塗布厚２０μ〜５０μを最適とする感圧接着剤を塗布し、ラベル打ち抜き機にて外縁をハーフカット、内縁を打ち抜くことを特徴とした部分接着剤紙を提供するものである。
【考案の効果】
【０００６】  本考案の部分接着剤紙は、剥離紙強と剥離紙弱を設け、その間の全面に感圧接着剤を塗布し、ラベル打ち抜き機にて外縁をハーフカット、内縁を打ち抜くことにより、これまで商品収納凹部を有するシートカバーのフランジ部の形状に合わせて作成していた感圧接着剤の版を必要としない為、大幅なコストダウンとなる。
【実施例】
【０００７】  本考案の部分接着剤紙は、長尺でロール巻きであり、連続的にラベル打ち抜きにかけ図１離型紙切落部３を打ち抜き、凹部成形品に対する感圧接着剤部の控え部４をハーフカットすることにより、控え部を設けた部分接着剤位置合わせ貼着シートができる。【０００８】  打ち抜きとハーフカットを有する部分接着剤紙を商品収納凹部を有するシートカバーのフランジ部へ転着する方法として、擬似接着剤性のあるシート材に離型紙弱を貼着し、次に離型紙強をめくり取ると、図２の用に離型紙弱の表面に感圧接着剤層があらわれる。擬似接着性シートに仮貼着された離型紙弱に対し、商品収納凹部を有するシートカバーシートのフランジ部を位置合わせし、感圧接着剤に転着する。【０００９】  離型紙弱の材質としては、透明性のある合成樹脂製フィルム／ポリエステルまたはポリプロピレンなどが適当であるので、透明性ある感圧接着剤を商品収納凹部を有するシートカバーシートのフランジ部に転着する際、見えにくい場合は感圧接着材に薄く着色してもよい。【００１０】  商品収納凹部を有するシートカバーのフランジ部を貼り付ける対象としては、紙台紙又は、折りたたんで内側を擬似接着した紙による密着ハガキ、更に炭酸カルシウムをはじめとする無機鉱物粉末を５５〜８５重量％含有した合成紙シートを使用するのが最適である。
【図面の簡単な説明】
【図１】  本考案の部分接着剤紙を商品収納凹部を有するシートカバーシートのフランジ部に転着した一態様の正面図である。
【図２】  部分接着剤紙を擬似接着剤シートに仮貼着した状態の一態様の正面図である。
【図３】  商品収納凹部を有するシートカバーシートのフランジ部に本考案の部分接着剤紙を使用し、感圧接着剤を転着した後、商品を投入し包装体に貼着した状態を表す正面図である。
【図４】  商品収納凹部を有するシートカバーシートのフランジ部に本考案の部分接着剤紙を使用し、感圧接着剤を転着した後、商品を投入し包装体に貼着した状態を表す側面図である。
【図５】  商品収納凹部を有するシートカバーシートのフランジ部に本考案の部分接着剤紙を使用し、感圧接着剤を転着した後商品を投入し、折り曲げた内面を擬似接着せしめた紙台紙に貼着した状態を表す正面図である。
【図６】  図５で示した状態の側面図である。
【符号の説明】
【００１０】１    包装袋
２    感圧接着剤部
３    離型紙弱の切落とし部
４    商品収納凹部を有するシートカバーシートのフランジ部に対して感圧接着剤部の控え部
５    開口部
６    ハーフカット部
７    擬似接着性シート
８    フランジ部
９    開き口
１０  吊下げ穴
１１  紙台紙
１２  擬似接着層
１３  商品
【図１】
0003145378.tif 000003
【図２】
0003145378.tif 000004
【図３】
0003145378.tif 000005
【図４】
0003145378.tif 000006
【図５】
0003145378.tif 000007
【図６】
0003145378.tif 000008
(57)【要約】【課題】作業中など手がふさがった場合、汗を拭くタオルなどを携帯できない場合、額や顔の汗拭きが安全かつ簡単にできる吸汗材製上腕部汗拭き具の提供。【解決手段】上腕に装着可能な所定長で筒状の吸収性汗拭き部と、その両側端の開口部・中央に弾性材を挿設し、伸縮着脱可能に形成されてなる上腕装着用汗拭き具。【選択図】図１
0003145380.tif 000002
【実用新案登録請求の範囲】
【請求項１】
上腕に装着可能な所定長で筒状の吸収性汗拭き部と、その両側端の開口部・中央に弾性材を挿設し、伸縮着脱可能に形成されてなる上腕装着用汗拭き具。
【請求項２】
吸水性汗拭き部が、吸水性・通気性のある吸汗材で形成されてなることを特徴とする請求項１に記載の上腕装着用汗拭き具。
【請求項３】
上腕の細太によりミシンの複数の縫い目と弾性材通路が形成されていること、また、吸汗材生地に弾性力があり、生地自体が伸縮性を持つことを特徴とする請求項１または２記載の汗拭き具。
【請求項４】
本体が彩色されてなることを特徴とする請求項１，２または３記載の汗拭き具。
【考案の詳細な説明】
【技術分野】
【０００１】本考案は、作業中など手が離せない場合にも容易に利用でき、簡単に額や顔面の汗を拭くタオル具に関するものである。
【背景技術】
【０００２】実用新案出願平５−４５２８３
公開番号：実用新案公開平７−１８９１  考案の名称：腕に巻くタオル
（イ）作業などにより両手がふさがった場合、一旦手を止めてタオル、手ぬぐいなどで汗を拭いていた。
（ロ）両手がふさがっている場合、衣服などの袖・裾で汗を拭くため衣服が汚れていた。
（ハ）衣服の袖及び裾での汗の吸収量は少ないため、多量の汗を拭き取ることはできなかった。
（二）首からタオルを提げていると、作業や運動によってはタオルが邪魔になることや危険があった。
【考案の開示】
【考案が解決しようとする課題】
【０００３】（イ）汗拭きの対応に、首に手ぬぐいやタオルを巻き汗を拭いていたが、作業の内容により両手がふさがった場合、不便を感じていた。
（ロ）手がふさっがった場合や、汗を拭くタオルなどを携帯できない場合、衣服の袖や裾で額や顔の汗を拭くため、衣服を汚していた。
（ハ）衣服の袖口や裾の汗の吸収量が少ないため、多量の汗を拭き取ることはできなかった。
本発明は以上の欠点を解決するためになされたものである。
【課題を解決するための手段】
【０００４】上腕に装着可能な所定長で筒状の吸収性汗拭き部と、その両側端の開口部・中央に弾性材を挿設し、伸縮着脱可能に形成されてなる上腕装着用汗拭き具。
【考案の効果】
【０００５】（イ）作業中や運動中に手を休めることなく汗が拭け、吸汗材を用いることにより吸収性・通気性が高い。また、洗濯が容易、交換が容易なので気持ちよく作業や運動することができる。
（ロ）筒状に形成しているので、リバーシブル（両面）使用可能な汗拭き具。
（ハ）スポーツ選手らも利用可能である。
【考案を実施するための最良の形態】（イ）吸汗材で円柱状に縫い合わせる。
（ロ）開口部１  上・中・下に腕に圧迫感の少ない弾性材を入れ、弾性材取替口弾性材２をつけ弾性剤の強弱の調整と取替ができるようにしておく。
本考案について、その一例を図示したが、本考案は上記図示例に限定されず、種々の変形例を挙げることができる。例えば吸汗材についてはタオル以外にハンカチ、手ぬぐい、スポンジ、ガーゼ、ゴアテックス、ドライフィットなどを使用でき、本考案はこれら全てを包含する。
【図面の簡単な説明】
【図１】本発明品の斜視図
【図２】本発明品使用状態を示す斜視図
【図３】本発明品の斜視図
【図４】本発明品の斜視図
【図５】本発明品の斜視図
【符号の説明】
１  開口部
２  弾性材取替口
３  ミシン縫い目
【図１】
0003145380.tif 000003
【図２】
0003145380.tif 000004
【図３】
0003145380.tif 000005
【図４】
0003145380.tif 000006
【図５】
0003145380.tif 000007
(57)【要約】      （修正有）【課題】児童の成長に応じて容易に座板や足置きの高さを調節できるだけでなく、座板も前後移動できるようにしたダイニングチェア用学習チェアを提供する。【解決手段】左右一対の前脚の上端に、背凭れ部を架設した肘掛部を後方向に斜設し、肘掛部の終端近傍に後脚を斜設し脚体部を形成し、座板を固定した座板ベースを前脚及び後脚間にねじ止めしている。また、足置き部を上下動できるようにすることによって幼児から児童まで使用することが出来るようにしたことを特徴とするものである。【選択図】図１
0003145374.tif 000002
【実用新案登録請求の範囲】
【請求項１】
前脚と後脚と座板部と背凭れ部と肘掛部とからなるチェアーにおいて、座板を上下移動するとともに後方にも移動するようにしたことを特徴とするダイニングチェア用学習チェア
【請求項２】
前脚上端に、背凭れ部を上端に架設した肘掛部を前方向に傾斜するように肘掛部の下端を連設するとともに、肘掛部上端近傍を支えるように後脚の上端を斜設固定し、前記肘掛部に調節孔を設け、この調節孔と後脚の対置する個所にも調節孔を設けてなるダイニングチェア用学習チェア
【請求項３】
左右一対の前脚間に足置き部を架設してなる請求項１または２記載のダイニングチェア用学習チェア
【考案の詳細な説明】
【技術分野】
【０００１】  本考案は、近年、学力向上手段としてリビング学習が提案され、ダイニングテーブルで児童が学習することが多くなっている。そのため、ダイニングテーブルの高さに合わせることができるように、学童の成長に応じて座板の調節ができる学習用椅子としても利用ができるダイニングチェアに関するものである。
【背景技術】
【０００２】  成長期の学童の学習用椅子は、当初は体型に合わせて購入しても成長が早くすぐに窮屈になってしまうことから座板を上下できるようにした椅子はある（特許文献１）。【０００３】  しかし、ダイニングチェアの場合には、単に座板の高さを調節するだけでは使用しにくいものである。【０００４】  また、児童の「身長」「肘頭と座面の距離」「膝裏から臀部の距離」「膝裏から踵の距離」などを考慮した人間工学データに基づく最適のダイニングチェアが望まれる。【０００５】  そこで、座板や足置きの高さを調節できるだけでなく、座板も前後移動できるようにしたダイニングチェア用学習チェアが望まれていた。【０００６】
【特許文献１】実用新案登録第２５６２６６３号公報
【考案の開示】
【考案が解決しようとする課題】
【０００７】  本考案は、このように人間工学データに基づいた最適のダイニングチェアを提供すべく、児童の成長に応じて容易に座板や足置きの高さを調節できるだけでなく、座板も前後移動できるようにしたものである。【０００８】  このようにすることによって、児童の成長度に適した座りやすいダイニングチェア用学習チェアを提供することができる。
【課題を解決するための手段】
【０００９】  上述の問題点を解決するために、本考案は、座板部と背凭れ部と前脚と後脚と肘掛部とからなり、座板を上方に移動するとともに後方にも移動するようにしたことを特徴とするものである。【００１０】  左右一対の前脚の上端に、背凭れ部を架設した肘掛部を後方向に斜設し、肘掛部の終端近傍に後脚を斜設し脚体部を形成し、座板を固定した座板ベースを前脚及び後脚間にねじ止めしている。【００１１】  また、足置き部を上下動できるようにすることによって幼児から児童まで使用することが出来るようにしたことを特徴とするものである。
【考案の効果】
【００１２】  本考案は、このような構成であるので、座板部だけでなく足置き部の調節もできるので児童の成長に適したダイニングチェアを提供することができる。【００１３】  また、前脚を肘掛部と一体とすることによって、座板の高さ調節と同時に奥行きの調節ができる。【００１４】  このように本願考案は、単に座板の上下位置を変えるだけで座板の奥行きも変えることができるので、児童の成長に応じたダイニングチェアの提供ができる。
【考案を実施するための最良の形態】
【００１５】
【実施例】
【００１６】  実施例について図面を参照して説明すると、図１において、１は座板部、２は背凭れ部、３は足置き部、４は肘掛部、５は前脚、６は後脚、７は前貫、８は後貫である。【００１７】  座板部１は、座板ベース１１の上にカバーを被覆したクッションを配置固定している。座板ベース１１は、肘掛部４を後方向に斜設した前脚５と該肘掛部４に斜設する後脚６との間にねじ止め架設している。【００１８】  肘掛部４の上端には背凭れ部２を架設固定している。【００１９】  足置き部３は、左右の前脚５、５間の下方に架設している。【００２０】  前貫７は、左右の前脚５、５間に架設している。後貫８は、左右の後脚６、６間に架設している。【００２１】  前脚５には、一定のピッチで足置き部取付穴７１を列設している。【００２２】  肘掛部４及び後脚６には、一定のピッチでネジ孔４４、６６を対応列設している。【００２３】  足置き部３は、断面Ｌ状としているが、幼児のように背の低い者が使用する場合は、座板を上方に挙げるため座板は後方に移動する。そのため足置き部３も上方に移動することとなるが、足置き部本体が前方にあると脚が届かなくなることがある。そこで、図２のように底面が上面となるように１８０度回転し固定すれば足が届くようになる。【００２４】  前脚と後脚は側面ハ字状にしているので安定感がある。そして、座板部１を上方に固定すると座板部の重心が後方に移動するが、後脚６は、肘掛部の上端近傍に斜設するようにしているので不安定になることがない。【００２５】  背凭れ部２は、背を包み込むように湾曲しているので安心感がある。【００２６】    座板ベース１１の取付孔の一方を長孔１２としておくと、前脚又は後脚の固定穴に一方の取付孔さえ固定しておけば他方の孔は横方向のみ移動するので固定しやすい。
【図面の簡単な説明】
【００２７】
【図１】  本考案の前方方向より見た斜視図である。
【図２】  本考案の側面図である。
【符号の説明】
【００２８】    １    座板部
２    背凭れ部
３    足置き部
４    肘掛部
５    前脚
６    後脚
７    前貫
８    後貫
１１  座板ベース
【図１】
0003145374.tif 000003
【図２】
0003145374.tif 000004
(57)【要約】      （修正有）【課題】薄手の冊子を本棚等に立て並べることが出来る薄手冊子用ブックカバーを提供する。【解決手段】紙が１枚だけ入る透明な堅いケース表紙１と裏表紙２を柔らかい背表紙３でつなぎ冊子の表紙・裏表紙をそれぞれ差し入れて本棚等に収納する。背表紙には上部より見出し紙を入れることが可能となるように袋状とする。透明な表紙・裏表紙にもタイトル・年月等をテプラ（登録商標）等で入れることも出来、ブックカバーの外側は透明以外にも色付け、絵柄も入れることが可能である。【選択図】図１
0003145372.tif 000002
【実用新案登録請求の範囲】
【請求項１】
映画や競技会・大会のプログラムのパンフレット等の薄手の冊子を本棚などに保管する為のブックカバーで透明な合成樹脂製の堅い表紙と裏表紙を透明な柔らかい合成樹脂製の背表紙でつなぎブックカバーの表紙・裏表紙の紙を入れる為のケース状の部分に冊子の表紙と裏表紙を入れてケースにはさみ固定し本棚等に立て並べた時折れ曲がらない薄手冊子用ブックカバー。
【考案の詳細な説明】
【技術分野】
【０００１】従来の映画のパンフレット等の薄手の冊子は本棚に立て並べた時にその薄さゆえに折れ曲がりやすく平積みで保管するしか方法がなかった。これを防ぐ為の合成樹脂製のブックカバ−である。
【背景技術】
【０００２】従来は映画のパンフレット、大会・競技会の出場者名簿、保存用の家電品のカタログ等の薄手の冊子を本棚等に立て並べた時その薄さゆえ折れ曲がり整然と立て並べることが出来なかった。そのため平積みするしか方法がなくすばやく目的の冊子を取り出すことは難しかったが本考案は堅めの合成樹脂製のブックカバーを使用する為冊子が折れ曲がることなく立て並べることが出来又、冊子から合成樹脂製の透明なブックカバーを取り外すことなくそのまま読み楽しむことも可能なブックカバーである。
【考案の開示】
【考案が解決しようとする課題】
【０００３】従来は本棚等に薄手の冊子を折れ曲がらずに整然と立て並べることが出来なかった。
【課題を解決するための手段】
【０００４】薄手の冊子を本棚に整然と立て並べることが出来るよう透明で堅い合成樹脂製の表紙と裏表紙を透明な柔らかい合成樹脂製の背表紙でつなぎ、表紙・裏表紙の双方に冊子の表紙・裏表紙を入れて固定する為のケースを設ける。
このケースの部分はページの中央部分より冊子の表紙を入れる構造であるが必要であれば紙の入れやすさを考え上方と中央の２箇所を開放し紙を入れやすくすることも可能である。
【考案の効果】
【０００５】従来薄手の冊子は本棚等に平積みされていたので素早く取り出すことや整然と本棚等にコレクションし並べて観賞し楽しむことは出来なかった。平積みのため折れ曲がりや破れ、多数の冊子がある場合に汚れや紛失することも多かった。本考案によりパンフレットやカタログ等の薄手の冊子を整然と保管することが可能であり、並べて観賞することやそのまま冊子を取り出しても透明なブックカバーの為カバーを外すことなく読むことが出来、背表紙部分に見出しを付けることも可能でありブックエンドを使うことなく立てて置くことも出来る。又、折れ曲がることや破損すること、汚れることもない。
【実施例】
【０００６】紙が１枚だけ入る透明な堅いケース表紙▲１▼と裏表紙▲２▼を柔らかい背表紙▲３▼でつなぎ冊子の表紙・裏表紙をそれぞれ差し入れて本棚等に収納する。背表紙には上部より見出し紙を入れることが可能となるように袋状とする。透明な表紙・裏表紙にもタイトル・年月等をテプラ等で入れることも出来、ブックカバーの外側は透明以外にも色付け、絵柄も入れることが可能である。必要に応じ▲１▼・▲２▼のケース内側は冊子の紙が取り出しやすくなるように中央以外にも上部も開放可能▲４▼とし用途は映画や競技大会の記念パンフレット等や家電品の保存用冊子等多数の需要を見込める。
【図面の簡単な説明】
【０００７】
【図１】姿図
【符号の説明】
【０００８】▲１▼表紙
▲２▼裏表紙
▲３▼背表紙
▲４▼開放可能部分
【図１】
0003145372.tif 000003
(57)【要約】      （修正有）【課題】高輝度ＬＥＤ表示灯の電源に太陽電池発電と蓄電器を用いて安定した電源を供給し、簡単に水陸兼用に切換え製造出来る水陸兼用危険区域警報太陽灯を提供する。【解決手段】本体ケースを透明樹脂防水式球体としＬＥＤ灯電源には太陽電池と低電流装置と蓄電器を設置し、ケースの中間に水平固定輪を設け、水上では鎖つき輪を、陸上ではパイプ足つき輪を中間の水平固定輪に取り付けた水陸兼用危険区域警報太陽灯である。【選択図】図１
0003145384.tif 000002
【実用新案登録請求の範囲】
【請求項１】
球体樹脂ケース半面に太陽電池盤と高輝度ＬＥＤをセットし中間部の固定輪に水中用イカリ台か陸上用足台を兼用に取り付けできる水陸両用警告太陽灯。
【考案の詳細な説明】
【技術分野】
【０００１】  本考案は太陽電池と高輝度ＬＥＤ灯及び蓄電器を組み込んだ移動式水陸兼用危険区域表示灯に関する。
【背景技術】
【０００２】  従来の危険表示灯は大型固定式で簡単に水上灯や陸上灯に変更が困難で移動設置出来る小型の物はなかった。
【考案の開示】
【考案が解決しようとする課題】
【０００３】  本考案は太陽電池とＬＥＤ表示灯及び蓄電器を組み込んだ移動式水上、陸上兼用太陽灯で次の解決する課題がある。
ＬＥＤ灯への電源の安定供給、水上での設置位置の安定、水上用と陸上用の簡単な製造変更が可能などの課題。
【課題を解決するための手段】
【０００４】  ＬＥＤ灯への電源の安定供給は使用電圧より高い電圧を太陽電池で発電し一旦蓄電器に充電してＬＥＤ灯には電流安定装置を利用して電流制御によつて輝度を安定化する。【０００５】  水上での安定を保つため本体の形状を透明樹脂の球体にし中間に水平の鍔型輪をもうけ蓄電器のような重量のある装置を水面より下方に重心がなるように配置する。【０００６】  水上用と陸上用を簡単に製造切り替え出来るよう本体の中間水平鍔型輪金具にあう水上用鎖付鍔型台を取付水上ようとする。
陸上用は金属パイプ付鍔型足台を取付陸上ようとする。
【考案の効果】
【０００７】  本考案は水上と陸上兼用太陽灯で本体には透明樹脂球面体を利用して本体の中間に鍔型輪金具を取り付け固定し水上使用には鎖の付いた鍔型の輪の部分を取り付け水上危険区域警報ＬＥＤ灯とし陸上には金属パイプ足台の輪の部分を取り付け陸上危険区域警報ＬＥＤ灯とし兼用として利用できＬＥＤの電源には太陽電池発電のため別に電力の供給が必要としなくて漁船の操業、浅瀬岩礁の危険や陸上の工事現場の危険場所を知らせる効果がある。
【考案を実施するための最良の形態】
【実施例】
【０００８】  本考案の図面に従って説明する、（図１）は水上太陽灯外観図で１本体は球体透明樹脂ケース２太陽電池発電パネル３ＬＥＤランプ灯取り付けケース３ａ青色ＬＥＤ灯３ｂ白色ＬＥＤ灯４蓄電池と制御装置部５本体固定取り付け鍔型金具６水中用鍔型金具６ａ鎖取り付けパイプ６ｂ鎖６ｃパイプ固定板８海面（図２）陸上太陽灯外観図７陸上用鍔型金具７ａ地面固定足パイプ（図３）２太陽電池発電パネル２ａパネル板２ｂビス孔以上の様に６，７の鍔型取り付け金具を交換するだけで警告灯として水上、陸上使用兼用が出来る利点と効果がある。
【図面の簡単な説明】
【０００９】
【図１】  水上太陽灯外観図
【図２】  陸上太陽灯外観図
【図３】  太陽電池発電盤
【符号の説明】
【００１０】１  本体
２  太陽電池発電パネル
２ａ  パネル取り付け板
２ｂ  ビス孔
３  ＬＥＤランプ灯取り付けケース
３ａ  青色ＬＥＤランプ灯
３ｂ  白色ＬＥＤランプ灯
４  蓄電器と制御装置
５  本体固定取り付け鍔型金具
６  水中用鍔型金具
６ａ  鎖取り付けパイプ
６ｂ  鎖
６ｃ  パイプ固定板
７  陸上用鍔型金具
７ａ  地面固定足金具
８  海面
【図１】
0003145384.tif 000003
【図２】
0003145384.tif 000004
【図３】
0003145384.tif 000005